(57)【特許請求の範囲】
【請求項１】
部屋などを仕切るパーティションにおいて、
パーティション板を固定する基部と、基部に取り付けられたパーティション板とで構成され、
前記基部は、基柱で天板部を支持して構成され、
前記天板部にはパーティション板が挿入されるスリットが形成され、スリットから挿入されたパーティション板は、前記基柱間に固定されたステイ上で固定され、
前記パーティションは基部を含めて平面視直線部分と該直線部分から延出する円弧部分からなり、円弧部分は互いに反対方向に向いていることを特徴とするパーティション。
【請求項２】
基部には水タンクが取り付けられた、請求項１記載のパーティション。
【請求項３】
前記円弧部分の角度θは約６０度程度であることを特徴とする請求項１記載のパーティション。
【発明の詳細な説明】
【０００１】
【発明の属する技術分野】
この発明は、会議室や部屋の中に仕切をするパーティションに関するものである。
【０００２】
【従来の技術】
従来、部屋の中の仕切をする仕切壁は存在した。例えば、パーティや結婚式をする場合や会議室や談話室などでは、必要に応じて仕切壁を用いていた。
【０００３】
【発明が解決しようとする課題】
上記の従来の構成では、仕切壁を設置する場合には、仕切壁は順次組立式であるために、人手を要し、特に転倒しないために継ぎ目をボルト等で締め付けて行わねばならず、コストもかかった。また、その割には、美観上も余り感心するものではなかった。
【０００４】
この発明は、上記の問題点を改善して、簡単に設置が可能な仕切壁として利用できるパーティションを得ることを目的とする。更に、設置に当たり、容易に転倒することがなく又床面に固定する必要のないものを得ることを目的とする。
【０００５】
【課題を解決するための手段】
この発明のパーティションは、部屋などを仕切るパーティションを、パーティション板を固定する基部と、基部に取り付けられたパーティション板とで構成する。前記基部は、基柱で天板部を支持して構成し、前記天板部にはパーティション板が挿入されるスリットを形成し、スリットから挿入されたパーティション板は、前記基柱間に固定されたステイ上で固定し、前記パーティションは基部を含めて平面視直線部分と該直線部分から延出する円弧部分からなり、円弧部分は互いに反対方向に向いていることを特徴とするものである。
【０００６】
請求項２の発明は、基部には水タンクを取り付けたものである。
【０００７】
請求項３の発明は、前記円弧部分の角度θを約６０度程度としたものである。
【０００８】
【発明の実施の形態】
この発明の実施の形態を実施例に基づき、図面を参照して説明する。図１は本発明の実施例の一つである。
【０００９】
図１はこの発明における実施例であるパーティション１を上方から見た平面図である。
該パーティション１は、その断面でわかるように、直線部分２０と円弧部分２１からなる。円弧部分２１、２１は、角度θで形成され、直線部分２０に対して繋がっている。各円弧部分２１は、互いに安定化のため反対方向に向かっている。
【００１０】
更に、その正面は、図３に示すようになっており、その側面の断面は、図４に示すようになっている。断面で分かるように、基柱２０１、２０１と天板部２０２からなり、基柱２０１には、適宜板材が外表面を覆うように貼られている。
【００１１】
基部２は、断面は図４に示すように、宣伝、報道や道標などの表示にも適用される基部２に比べて軽いパーティション板４を支持している。この為重心部分を低く設けられる。天板部２０２には、パーティション板４が挿入されるスリット２０３があり、基柱２０１、２０１間に固定されたステイ２０４上で固定部材２０５でパーティション板４を抑えて固定し、且つ上方の抑え部材２０６により固定されている。これら固定は適宜な接着剤で行ってもよく、その他慣用される固定手段が当業者によって採用可能である。なお、上方の部材２０７は、この場合一応固定の役は果たしていないが、この部材で固定することもできるのは勿論である。
【００１２】
なお、パーティション板４は、材質はプラスチック材でもよく、又ガラス材でもよい。ガラス材を採用した場合には、基部２内に光源５を置いて照らせば、上方の延長部方向が光り部屋の雰囲気に優れた効果を与える。その場合アルミなどの反射体５０１を延長部内や外表面に入れたり貼っておけば乱反射して更に美しい効果を与える。
【００１３】
このパーティション１は、その基部は全く固定されておらず、単に床面に載置するだけであるが、その転倒防止の原理は、図２に示すようなものとなっている。図２は、その基本的な原理が示されており、実線はパーティション１が円弧部分を備えず直線部分からなる場合を想定している。Ｗは、全重量が掛かる地点であり、Ｔは高さである。この場合に、転倒させようとする力ｆがパーティション１の側壁に作用すると（摩擦で動かないとする）、O点の周りのモーメントは、Ｍ＝ＷＢ／２＝ｆｙとなる。ｙ＝Ｔでは、ＷＢ／２＝ｆＴとなり、転倒に到る最小値ｆを示す。従って、この最小値ｆで転倒しない為には、Ｗ又はＢが大きい程、転倒に要するモーメントＭを大きくでき、最小値ｆを大きくできる。幅Ｂを大きくするには、円弧部分を大とすれば、外方へｘは広がっていくので、モーメントＭを大として、結局ｆを大とできる。つまり、円弧部分があると、実質的には幅Ｂが増えたのと同じになり、Ｍは大きくなり、最小値ｆを大とすることができる。図１では。点ＯB−ＯB、ＯA−ＯAが接触点であり、その両線で挟まれる幅が大きいほどｆは大となる。従って、円弧部分の半径Ｒを大とすれば、モーメントＭは大とすることができる。つまり倒れ難くすることができる。実験の結果では、円弧の半径Ｒを種種変えて行ったところ、Ｒ＝６０度程度が実際上も又安定上好ましいレベルであることが分かった。
【００１４】
また、Ｗを大きくするために、図４に示すように、タンク６を基部２内に設けて置いてもよい。該タンクには６には外方から注水口６０１を設けておき、そこから水を注入しておけば、簡単にＷを大きくすることができる。
【００１５】
タンク６は、適宜なステイ２１０から吊り下げる形式が考えられるが、又上方のステイ２０４から直接吊り下げるものとしてもよい。しかし安定のために、タンク６は下方向へ吊る下げることが好ましい。又、タンク６を下方に設ければ、地震などの揺れに対しても転倒を防ぐ。例えば、図３に示すように、断面が長方形のものを置けば、地震で揺れると、水は慣性でその場に留まるので、揺れを防ぐ方に働き、一石二鳥である。また、必要のない場合や運搬時には、タンク６から水を抜いておけばよい。
【００１６】
なお、この実施例では、基部２とパーティション板４から設け、パーティション板４を薄板状として、上方を軽量化して重心を下げると共に宣伝や飾りの部分として利用している。
【００１７】
この発明は、実施例において、比較的大きな部屋や会議室での適用例で説明をしたが、小型化して小部屋で採用することができるのは勿論である。
【００１８】
【発明の効果】
従来は転倒しないように仕切壁を組み立てたり、又は固定しなければならなかったが、本発明は床等に固定する作業が必要でなく、而も迅速に移動可能である。即ち、上記の従来の構成では、仕切壁を設置する場合には、仕切壁は順次組立式であるために、人手を要し、特に転倒しないために継ぎ目をボルト等で締め付けて行わねばならず、コストもかかった。また、その割には、美観上も余り感心するものではなかったが、本発明は、設置に当たり、容易に転倒することがなく又床面に固定する必要のないものが得られた。
【００１９】
更に、本発明では、直線部分と円弧部分で形成されているので、従来のものが単に直線部分のみで形成されているので冷たさや圧迫感を与えるのに対し、外観上も使用者に心理的に威圧や圧迫感を与えず、一つのリズム感を与えるので、周りへ好ましい雰囲気を醸成することになる。
【図面の簡単な説明】
【図１】本発明の実施例のパーティションを示す。
【図２】本発明のパーティションの原理を示す概念図である。
【図３】本発明の実施例のパーティションの正面図を示す。
【図４】本発明の実施例のパーティション側面の断面図を示す。
【符号の説明】
１ パーティション
２ 基部
２０ 直線部分
２１ 円弧部分
２０１ 基柱
２０２ 天板部
２０３ スリット
２０４ ステイ
２０５ 固定部材
２０６ 抑え部材
４ パーティション板
５ 光源
５０１ 反射体
６ タンク
６０１ 注水口
【図１】
0004366623.tif 000002
【図２】
0004366623.tif 000003
【図３】
0004366623.tif 000004
【図４】
0004366623.tif 000005